(57)【要約】【課題】車両の停止時に用いられる車両用警告表示装置に関し、周囲が暗い時に車両後方へ遠く離れても、警告用表示の明確な視認が可能な車両用警告表示装置を提供することを目的とする。【解決手段】車両のトランクカバー１の内側に背面電極層１５、発光体層１３、光透過性電極層１２等が順次重ねて形成されたＥＬ素子２０を装着して車両用警告表示装置を構成することによって、周囲が暗い時に車両後方へ遠く離れても、ＥＬ素子２０自体の発光によって警告用表示自体が光るため、警告用表示の明確な視認が可能な車両用警告表示装置を得ることができる。【選択図】  図１
2004203196.tif 000002
【特許請求の範囲】
【請求項１】
車両の後部ドアまたはトランクカバーと、これらの内側に装着され、背面電極層、発光体層、光透過性電極層が順次重ねて形成されたＥＬ素子からなる車両用警告表示装置。
【請求項２】
ＥＬ素子の表面に光反射層を重ねて形成した請求項１記載の車両用警告表示装置。
【請求項３】
ＥＬ素子の光透過性電極層が導電性樹脂、または導電性粉末を分散した絶縁樹脂で形成された請求項１記載の車両用警告表示装置。
【請求項４】
車両の後部ドアまたはトランクカバーが開放されると、ＥＬ素子が自動的に点灯、又は点滅する請求項１記載の車両用警告表示装置。
【発明の詳細な説明】
【０００１】
【発明の属する技術分野】
本発明は、車両の停止時に用いられる車両用警告表示装置に関するものである。
【０００２】
【従来の技術】
近年、一般道路等での車両の停止時に後続車両の追突等を防止するため、車両後方から容易に視認できる車両用警告表示装置が求められている。
【０００３】
このような従来の車両用警告表示装置について、図３及び図４を用いて説明する。
【０００４】
図３は従来の車両用警告表示装置の断面図、図４は同装置をこの車両後方から見た時の概略図である。
【０００５】
同図において、１は金属製のトランクカバー、２は赤色の塗料で三角形状に塗装された警告用表示でトランクカバー１の内側上面に表示されている。
【０００６】
そして、３は電球、４はこの電球３のＯＮ／ＯＦＦを切換えるスイッチで、各々、警告用表示２の上方に設けられている。
【０００７】
また、この電球３とスイッチ４が車両内の制御部（図示せず）に接続されて、車両用警告表示装置が構成されている。
【０００８】
以上の構成において、図４に示すように、車両停止時にトランクカバー１を開いた状態でスイッチ４をＯＮ状態にすると、制御部がこのＯＮ状態を検知し、電球３を点灯させ、警告用表示２が照光される。
【０００９】
そして、周囲が暗い時は電球３による光の照光によって、この警告用表示２近傍が明るく見えるため、警告用表示２の三角形状が明確に視認できるものであった。
【００１０】
なお、この出願の発明に関連する先行技術文献情報としては、例えば、特許文献１が知られている。
【００１１】
【特許文献１】
特開平２−４７３７４号公報
【００１２】
【発明が解決しようとする課題】
しかしながら上記従来の車両用警告表示装置においては、周囲が暗い場合、車両後方へ遠く離れる程、照光されている警告用表示２近傍全体が不明瞭に見えるため、この警告用表示２の明確な視認が困難になるという課題があった。
【００１３】
本発明は、このような従来の課題を解決するものであり、周囲が暗い時に車両後方へ遠く離れても、警告用表示の明確な視認が可能な車両用警告表示装置を提供することを目的とする。
【００１４】
【課題を解決するための手段】
上記目的を達成するために本発明は、以下の構成を有するものである。
【００１５】
本発明の請求項１に記載の発明は、車両の後部ドアまたはトランクカバーの内側に、背面電極層、発光体層、光透過性電極層が順次重ねて形成されたＥＬ素子を装着して車両用警告表示装置を構成したものであり、周囲が暗い時に車両後方へ遠く離れても、ＥＬ素子自体の発光によって警告用表示自体が光るため、警告用表示の明確な視認が可能な車両用警告表示装置を得ることができるという作用を有する。
【００１６】
請求項２に記載の発明は、請求項１記載の発明において、ＥＬ素子の表面に光反射層を重ねて形成したものであり、後続車両のヘッドライト等の強い光が警告用表示近傍に当たっても、光反射層によってこの警告用表示自体が反射し、他の部分より明るく見えるため、車両後方から警告用表示の明確な視認が可能な車両用警告表示装置を得ることができるという作用を有する。
【００１７】
請求項３に記載の発明は、請求項１記載の発明において、ＥＬ素子の光透過性電極層が導電性樹脂、または導電性粉末を分散した絶縁樹脂で形成されたものであり、光透過性電極が可撓性に優れているため、凹凸部を有する車両の後部ドアやトランクカバーの内側にもＥＬ素子を装着できるという作用を有する。
【００１８】
請求項４に記載の発明は、請求項１記載の発明において、車両の後部ドアまたはトランクカバーが開放されると、ＥＬ素子が自動的に点灯、又は点滅するようにしたものであり、後部ドアまたはトランクカバーを開けるだけで警告用表示装置が点灯、又は点滅するため、個別のスイッチの操作が不要となるという作用を有する。
【００１９】
【発明の実施の形態】
以下、本発明の実施の形態について、図１及び図２を用いて説明する。
【００２０】
なお、従来の技術の項で説明した構成と同一構成の部分には同一符号を付して、詳細な説明を簡略化する。
【００２１】
（実施の形態）
図１は本発明の一実施の形態による車両用警告表示装置の断面図、図２は同装置をこの車両後方から見た時の概略図である。
【００２２】
同図において、１は金属製のトランクカバー、２０は所定の幅を有する三角形状が発光するＥＬ素子でトランクカバー１の内側に装着されている。
【００２３】
そして、このＥＬ素子２０には、ポリエチレンテレフタレート等の光透過性基材１１の下面に、酸化インジウム錫等の光透過性の導電性粉末を分散したフェノキシ樹脂等の光透過性の絶縁樹脂によって、所定の幅を有する三角形状の光透過性電極層１２が印刷形成されている。
【００２４】
また、この光透過性電極層１２の下に、硫化亜鉛等の蛍光体粉をポリエステル樹脂内に分散した発光体層１３、チタン酸バリウム粉末等をポリエステル樹脂内に分散した誘電体層１４、銀やカーボンレジン等の背面電極層１５、エポキシやポリエステル樹脂等の絶縁層１６が各々所定の幅を有する三角形状に、順次重ねて印刷形成されて、ＥＬ素子２０が構成されている。
【００２５】
さらに、このＥＬ素子２０の光透過性基材１１表面には赤色蛍光顔料をポリエステル樹脂内に分散した色変換層１７、ガラスビーズ等をポリエステル樹脂に分散した光透過性の光反射層１８が所定の幅を有する三角形状に、順次重ねて印刷形成されている。
【００２６】
また、このＥＬ素子２０とトランクカバーの開閉を検出するスイッチ（図示せず）が、車両内のマイコン等によって形成された制御部（図示せず）に接続されて、車両用警告表示装置が構成されている。
【００２７】
以上の構成において、トランクカバー１が開放されると、制御部がトランクカバーの開閉を検出するスイッチの信号により、この開放になったことを検知し、ＥＬ素子２０の光透過性電極層１２と背面電極層１５に電力を供給する。
【００２８】
すると、発光体層１３が青緑色を発光し、この光が光透過性電極層１２と光透過性基材１１を透過し、色変換層１７で赤色に変換されて、光透過性の光反射層１８を透過し、結局、車両用警告表示装置としては所定の幅を有する三角形状の警告用表示として赤色に発光する。
【００２９】
そして、周囲が暗い場合でも、このＥＬ素子２０自体の発光による赤色の警告用表示全体が明確に浮かび上がり、遠くからでも確実に視認することができる。
【００３０】
また、後続車両のベッドライト等の強い光が警告用表示近傍に当たった場合にも、三角形状の光反射層１８がこの光を反射し、警告用表示自体が発光して、他の部分より明るく見えるため、車両後部から明確に警告用表示が視認できる。
【００３１】
このように本実施の形態によれば、車両のトランクカバー１の内側に背面電極層１５、発光体層１３、光透過性電極層１２等が順次重ねて形成されたＥＬ素子２０を装着して車両用警告表示装置を構成することによって、周囲が暗い時に車両後方へ遠く離れても、ＥＬ素子２０自体の発光によって警告用表示自体が光るため、警告用表示の明確な視認が可能な車両用警告表示装置を得ることができるものである。
【００３２】
そして、ＥＬ素子２０の表面に光反射層１８を重ねて形成することによって、後続車両のヘッドライト等の強い光が警告用表示近傍に当たっても、光反射層１８によってこの警告用表示自体が反射し、他の部分より明るく見えるため、車両後方から警告用表示の明確な視認が可能な車両用警告表示装置を得ることができる。
【００３３】
また、光透過性電極層１２を導電性粉末を分散した絶縁樹脂で形成することによって、光透過性電極が可撓性に優れるため、凹凸部を有する車両のトランクカバー１の内側にもＥＬ素子を装着できる。
【００３４】
なお、この時、光透過性電極層１２の導電性粉末を分散した絶縁樹脂に代えて、ポリエチレンジオキシチオフェン等の導電性樹脂を用いても、同様に可撓性に優れるため、実施が可能である。
【００３５】
更に、車両のトランクカバー１が開放されると自動的に点灯、又は点滅することによって、トランクカバー１を開けるだけで警告用表示装置が点灯、又は点滅するため、個別のスイッチの操作が不要となる。
【００３６】
なお、ＥＬ素子２０のトランクカバー１内側への装着方法としては、ＥＬ素子２０裏面に接着剤を塗布して貼りつけたり、或いはトランクカバー１へ直接ＥＬ素子２０を印刷する等、様々な実施が可能である。
【００３７】
また、色変換層１７や光反射層１８をＥＬ素子２０の表面に印刷形成した構成として説明したが、これに代えて、トランクカバー１表面に光透過性の色変換フィルムや蛍光性反射フィルム等を貼りつけるようにしても良い。
【００３８】
そして、光透過性電極層１２、発光体層１３、背面電極層１５等を全て所定の幅を有する三角形状に印刷形成したものとして説明したが、光透過性電極層１２、発光体層１３、背面電極層１５の内の何れかのみを三角形状とし、他の誘電体層１４や絶縁層１６等は光透過性基材１１全面に形成しても良い。
【００３９】
また、ＥＬ素子２０の警告用表示を三角形状としたが、「停止」や「ＳＴＯＰ」等の車両の停止を表す文字等としても良い。
【００４０】
更に、ＥＬ素子２０を車両のトランクカバー１の内側に装着する構成として説明したが、後部ドアが上下または左右の開閉可能なタイプの車両においては、この後部ドアの内側に装着するものとしても良い。
【００４１】
【発明の効果】
以上のように本発明によれば、周囲が暗い時に車両後方へ遠く離れても、警告用表示の明確な視認が可能な車両用警告表示装置を得ることができるという有利な効果が得られる。
【図面の簡単な説明】
【図１】本発明の一実施の形態による車両用警告表示装置の断面図
【図２】同装置をこの車両後方から見た時の概略図
【図３】従来の車両用警告表示装置の断面図
【図４】同装置をこの車両後方から見た時の概略図
【符号の説明】
１  トランクカバー
１１  光透過性基材
１２  光透過性電極層
１３  発光体層
１４  誘電体層
１５  背面電極層
１６  絶縁層
１７  色変換層
１８  光反射層
２０  ＥＬ素子
【図１】
2004203196.tif 000003
【図２】
2004203196.tif 000004
【図３】
2004203196.tif 000005
【図４】
2004203196.tif 000006